(57)【要約】【課題】望遠端の半画角２度程度で、イメージサークルが大きく望遠端の焦点距離の長い変倍結像光学系において、前群の製造誤差感度を低減し、防振群の重量を抑制した、防振機能を備えた変倍結像光学系を提供する。【解決手段】物体側から順に、正の屈折力の第１レンズ群と、負の屈折力の第２レンズ群と、少なくとも二つのレンズ群から構成され、変倍の全域で全体として正の屈折力の後方レンズ群とから構成され、変倍時に前記各レンズ群の間の空気間隔が変化し、前記第１レンズ群は物体側から順に空気間隔を以って隔てられた第１負レンズ、第１正レンズ、第２正レンズの３枚のレンズから構成され、前記第２レンズ群は物体側から順に負の屈折力の２ａ群と負の屈折力の２ｂ群より構成され、前記２ｂ群を光軸と直行する方向に変位させることによって防振を行い、所定の条件を満足させる。【選択図】図１
2015203827.tif 000002
【特許請求の範囲】
【請求項１】
物体側から順に、正の屈折力の第１レンズ群と、負の屈折力の第２レンズ群と、少なくとも二つのレンズ群から構成され、変倍の全域で全体として正の屈折力の後方レンズ群とから構成され、
変倍時に前記各レンズ群の間の空気間隔が変化し、
前記第１レンズ群は物体側から順に空気間隔を以って隔てられた第１負レンズ、第１正レンズ、第２正レンズの３枚のレンズから構成され、
前記第２レンズ群は物体側から順に負の屈折力の２ａ群と負の屈折力の２ｂ群より構成され、
前記２ｂ群を光軸と直行する方向に変位させることによって防振を行い、
下記の条件式を満足することを特徴とする防振機能を備えた変倍結像光学系。
（１）  ２．４０＜（１／Ｒｇ２１−１／ｆｇ１）＊ｆｔ＜４．２５
（２）  −０．９５＜β２ｂ＜−０．６５
ただし、
ｆｇ１：第１負レンズの焦点距離
Ｒｇ２１：第１正レンズの物体側の面の曲率半径
ｆｔ：全系の望遠端かつ無限遠方結像状態における合成焦点距離
β２ｂ：２ｂ群の望遠端かつ無限遠方結像状態における結像倍率
【請求項２】
下記の条件式を更に満足することを特徴とする請求項１に記載の防振機能を備えた変倍結像光学系。
（３）  ０．９５＜ｆｐ１／ｆｐ２＜１．５５
ただし、
ｆｐ１：第１正レンズの焦点距離
ｆｐ２：第２正レンズの焦点距離
【請求項３】
前記第２レンズ群は変倍時に像面に対して固定されていることを特徴とする請求項１または２に記載の防振機能を備えた変倍結像光学系。
【請求項４】
前記後方レンズ群は最も物体側に正の屈折力の第３レンズ群を備えることを特徴とする請求項１ないし３のいずれかに記載の防振機能を備えた変倍結像光学系。
【請求項５】
前記後方レンズ群において、最も像側に設けたレンズ群全体、または、最も像側に設けたレンズ群のうちで最も像側に位置する部分レンズ群をフォーカシングレンズ群としてフォーカシングを行い、
前記フォーカシングレンズ群は全体で負の屈折力を有することを特徴とする請求項１ないし４のいずれかに記載の防振機能を備えた変倍結像光学系。
【発明の詳細な説明】
【技術分野】
【０００１】
本発明は、スチルカメラ、ビデオカメラ等に用いられる変倍結像光学系に関し、特に画角が狭く、更に防振機能を備えた変倍結像光学系に関するものである。
【背景技術】
【０００２】
デジタルスチルカメラ等に用いられる結像光学系への防振機能の搭載が進んでおり、超望遠レンズを用いた写真撮影でも手振れによる失敗が減少し、超望遠レンズが身近なものとなってきている。このため更に長い焦点距離を持ち画角の狭い結像光学系が要望されるようになってきている。
【０００３】
望遠端の画角が、３５ｍｍ判に換算して焦点距離５００乃至６００ｍｍに相当する半画角２度乃至２．５度程度の結像光学系が特許文献にも記載されている。
【先行技術文献】
【特許文献】
【０００４】
【特許文献１】特開２０１１−１７９１２号公報
【特許文献２】特開２０１２−２０８４３４号公報
【特許文献３】特開２０１１−１８６０９５号公報
【特許文献４】特開２０１３−９７３２２号公報
【発明の概要】
【発明が解決しようとする課題】
【０００５】
画角の狭い、長焦点の結像光学系においては、まず焦点距離に比べて光学系全長を短くすることが求められる。光学系の全長を焦点距離で割った値を望遠比と呼ぶが、この値が１を十分下回ることが望ましい。
【０００６】
望遠比を小さくするためにはもっとも物体側に正屈折力のレンズ群を配置し、正屈折力のレンズ群より像側に負屈折力のレンズ群を配置した、いわゆる望遠型またはテレフォトタイプと呼ばれる配置とし、更に望遠比を小さくするために前方の正群の屈折力を全系の屈折力に比べて強くし、後方の負群の結像倍率を大きくする。後方の負群の結像倍率が大きいため前方の正群での残存収差が拡大されて結像するので、前方の正群での残存収差を小さくする必要がある。
【０００７】
前方の正群内のレンズエレメントの数を保てば、各レンズエレメントの屈折力を強くする必要があり、各レンズエレメントの発生させる色収差や球面収差が大きくなる。色収差や球面収差は正レンズと負レンズを隣接させて組み合わせることにより補正を行うが、隣接する正レンズと負レンズそれぞれの発生させる収差の量が大きいと、隣接する正レンズと負レンズの位置関係のずれによる収差の変化が大きくなる。特に製造誤差による偏芯が発生する場合に影響が大きい。更に後方の負群の結像倍率が大きいため、前方の正群で発生した収差の変動を拡大してしまう。
【０００８】
これらの問題のため、長焦点レンズの前方の正群においては特に偏芯を非常に小さなレベルに抑制しなければならない。レンズエレメントの径が小さければ隣接する正レンズと負レンズを接合することによって偏芯を抑制できる。しかし、径の大きなレンズエレメントを接合するとそれぞれのレンズエレメントの材質の膨張率の違いにより、温度変化が生じた際に接合レンズがはがれたり割れたりする危険性がある。このため、例えば３５ｍｍ判で焦点距離５００ｍｍを超える長焦点では径の大きい前方の正群内では接合できないことが多い。
【０００９】
このため、製造誤差による偏芯の影響を受けやすく、製造の精度が非常に高いレベルで求められ、コストが高くなるという問題がある。
【００１０】
更に長焦点レンズにおいては特に物体側をはじめとして全体にレンズエレメントの径が大きくなり、防振レンズ群の重量が重くなる傾向にある。防振レンズ群の重量が増大した分、アクチュエータの駆動力を大きくするにはアクチュエータの大型化が必要となり鏡筒の更なる大型化を招く。逆にアクチュエータの駆動力が不足すれば応答性に問題が発生し手振れの補正精度が低下し、製品全体としての実用性に問題が出る。
【００１１】
また、超望遠レンズにおいては手振れに起因する像ぶれも大きくなって防振群の光軸直交方向への変位が大きくなる傾向にある。防振群の光軸直交方向への変位が大きくなると、防振稼動部やアクチュエータの径方向のサイズが増大し、鏡筒全体の径が太くなる。
【００１２】
したがって防振群は出来る限り光線径を抑制して軽量に設定する必要があるとともに、防振群の光軸直交方向への変位に対する像の光軸直交方向への変位の比、すなわち防振係数を十分に大きくして必要な防振群の変位量を小さくしなければならない。
【００１３】
防振群と同様に、フォーカス群についても重量と変位量が長焦点レンズにおいて大きくなる傾向があり、光線径の抑制とフォーカス敏感度の確保が課題である。
【００１４】
特許文献１に記載の光学系は望遠端での光学全長の短縮をよく達成しているが、防振群の径が大きく、また防振係数が小さいために鏡筒の径の抑制が難しい。また、第１レンズ群に接合レンズが含まれ、温度変化による割れまたははがれが生じる可能性がある。
【００１５】
特許文献２に記載の光学系は望遠端での望遠比がおよそ０．７７であるが更なる短縮を図りたい。更にフォーカス群の光線径が特に広角端において高いためフォーカス群重量に課題が残る。第１レンズ群のレンズが接合されずに構成されて温度変化による割れまたははがれの可能性はない光学系も記載されているが、最も物体側の負レンズとそのすぐ像側の正レンズの偏芯感度が非常に高く組み立て精度を高くする必要があり、コストが高くなる。
【００１６】
特許文献３に記載の光学系は半径１１ｍｍほどのイメージサークルに対応し、望遠比が０．６５を切り光学全長がきわめて短いが、防振については言及されていない。またイメージサークル半径を２２ｍｍ程度に拡大して用いると第１レンズ群の径が大きくなるため、第１レンズ群に含まれる接合レンズに温度変化による割れまたははがれが生じる可能性がある。
【００１７】
特許文献４に記載の光学系は望遠比約０．６５と光学全長が非常に短いが、防振群の径が大きすぎて、防振群が１枚の構成でありながらも軽量化が不十分である。また、第１レンズ群に接合レンズが含まれ、温度変化による割れまたははがれが生じる可能性がある。
【００１８】
本発明はこのような状況に鑑みてなされたものであり、望遠端の半画角２度程度で、イメージサークルが大きく望遠端の焦点距離の長い変倍結像光学系において、前群の製造誤差感度を低減し、防振群の重量を抑制した、防振機能を備えた変倍結像光学系を提供することを目的とする。
【課題を解決するための手段】
【００１９】
上記課題を解決するために第１の発明の防振機能を備えた変倍結像光学系では、物体側から順に、正の屈折力の第１レンズ群と、負の屈折力の第２レンズ群と、少なくとも二つのレンズ群から構成され、変倍の全域で全体として正の屈折力の後方レンズ群とから構成され、変倍時に前記各レンズ群の間の空気間隔が変化し、前記第１レンズ群は物体側から順に空気間隔を以って隔てられた第１負レンズ、第１正レンズ、第２正レンズの３枚のレンズから構成され、前記第２レンズ群は物体側から順に負の屈折力の２ａ群と負の屈折力の２ｂ群より構成され、前記２ｂ群を光軸と直行する方向に変位させることによって防振を行い、以下の条件を満足することとした。
（１）  ２．４０＜（１／Ｒｇ２１−１／ｆｇ１）＊ｆｔ＜４．２５
（２）  −０．９５＜β２ｂ＜−０．６５
ただし、
ｆｇ１：第１負レンズの焦点距離
Ｒｇ２１：第１正レンズの物体側の面の曲率半径
ｆｔ：全系の望遠端かつ無限遠方結像状態における合成焦点距離
β２ｂ：２ｂ群の望遠端かつ無限遠方結像状態における結像倍率
【００２０】
また、第２の発明の防振機能を備えた変倍結像光学系では、第１の発明において更に、以下の条件を満足することとした。
（３）  ０．９５＜ｆｐ１／ｆｐ２＜１．５５
ただし、
ｆｐ１：第１正レンズの焦点距離
ｆｐ２：第２正レンズの焦点距離
【００２１】
また、第３の発明の防振機能を備えた変倍結像光学系では、第１または第２の発明において更に、前記第２レンズ群を変倍時に像面に対して固定することとした。
【００２２】
また、第４の発明の防振機能を備えた変倍結像光学系では、第１ないし第３の発明において更に、前記後方レンズ群が最も物体側に正の屈折力の第３レンズ群を備えることとした。
【００２３】
また、第５の発明の防振機能を備えた変倍結像光学系では、第１ないし第４の発明において更に、前記後方レンズ群において、最も像側に設けたレンズ群全体、または、最も像側に設けたレンズ群のうちで最も像側に位置する部分レンズ群をフォーカシングレンズ群としてフォーカシングを行い、前記フォーカシングレンズ群は全体で負の屈折力を有することとした。
【発明の効果】
【００２４】
本発明によれば、望遠端の半画角２度程度で、イメージサークルが大きく望遠端の焦点距離の長い変倍結像光学系において、前群の製造誤差感度を低減し、防振群の重量を抑制した、防振機能を備えた変倍結像光学系を提供することができる。
【図面の簡単な説明】
【００２５】
【図１】本発明の実施例１の結像光学系の広角端で無限遠合焦時のレンズ構成図である。
【図２】本発明の実施例１の無限遠物体における縦収差図であり、ａが広角端、ｂが中間焦点距離（２６９．９６ｍｍ）、ｃが望遠端の収差図である。
【図３】本発明の実施例１の無限遠物体における標準状態での横収差図であり、ａが広角端、ｂが中間焦点距離（２６９．９６ｍｍ）、ｃが望遠端の収差図である。
【図４】本発明の実施例１の無限遠物体における防振時の横収差図であり、ａが０．４４ｍｍ変位時の広角端、ｂが０．５９ｍｍ変位時の中間焦点距離（２６９．９６ｍｍ）、ｃが０．９０ｍｍ変位時の望遠端の収差図である。
【図５】本発明の実施例２の結像光学系の広角端で無限遠合焦時のレンズ構成図である。
【図６】本発明の実施例２の無限遠物体における縦収差図であり、ａが広角端、ｂが中間焦点距離（２６９．９５ｍｍ）、ｃが望遠端の収差図である。
【図７】本発明の実施例２の無限遠物体における標準状態での横収差図であり、ａが広角端、ｂが中間焦点距離（２６９．９５ｍｍ）、ｃが望遠端の収差図である。
【図８】本発明の実施例２の無限遠物体における防振時の横収差図であり、ａが０．４５ｍｍ変位時の広角端、ｂが０．５９ｍｍ変位時の中間焦点距離（２６９．９５ｍｍ）、ｃが０．９０ｍｍ変位時の望遠端の収差図である。
【図９】本発明の実施例３の結像光学系の広角端で無限遠合焦時のレンズ構成図である。
【図１０】本発明の実施例３の無限遠物体における縦収差図であり、ａが広角端、ｂが中間焦点距離（２７０．０３ｍｍ）、ｃが望遠端の収差図である。
【図１１】本発明の実施例３の無限遠物体における標準状態での横収差図であり、ａが広角端、ｂが中間焦点距離（２７０．０３ｍｍ）、ｃが望遠端の収差図である。
【図１２】本発明の実施例３の無限遠物体における防振時の横収差図であり、ａが０．４８ｍｍ変位時の広角端、ｂが０．６０ｍｍ変位時の中間焦点距離（２７０．０３ｍｍ）、ｃが０．８５ｍｍ変位時の望遠端の収差図である。
【図１３】本発明の実施例４の結像光学系の広角端で無限遠合焦時のレンズ構成図である。
【図１４】本発明の実施例４の無限遠物体における縦収差図であり、ａが広角端、ｂが中間焦点距離（２７０．０３ｍｍ）、ｃが望遠端の収差図である。
【図１５】本発明の実施例４の無限遠物体における標準状態での横収差図であり、ａが広角端、ｂが中間焦点距離（２７０．０３ｍｍ）、ｃが望遠端の収差図である。
【図１６】本発明の実施例４の無限遠物体における防振時の横収差図であり、ａが０．４４ｍｍ変位時の広角端、ｂが０．５６ｍｍ変位時の中間焦点距離（２７０．０３ｍｍ）、ｃが０．７９ｍｍ変位時の望遠端の収差図である。
【図１７】本発明の実施例５の結像光学系の広角端で無限遠合焦時のレンズ構成図である。
【図１８】本発明の実施例５の無限遠物体における縦収差図であり、ａが広角端、ｂが中間焦点距離（２７０．０３ｍｍ）、ｃが望遠端の収差図である。
【図１９】本発明の実施例５の無限遠物体における標準状態での横収差図であり、ａが広角端、ｂが中間焦点距離（２７０．０３ｍｍ）、ｃが望遠端の収差図である。
【図２０】本発明の実施例５の無限遠物体における防振時の横収差図であり、ａが０．４９ｍｍ変位時の広角端、ｂが０．６２ｍｍ変位時の中間焦点距離（２７０．０３ｍｍ）、ｃが０．８８ｍｍ変位時の望遠端の収差図である。
【図２１】本発明の実施例６の結像光学系の広角端で無限遠合焦時のレンズ構成図である。
【図２２】本発明の実施例６の無限遠物体における縦収差図であり、ａが広角端、ｂが中間焦点距離（２５０．１８ｍｍ）、ｃが望遠端の収差図である。
【図２３】本発明の実施例６の無限遠物体における標準状態での横収差図であり、ａが広角端、ｂが中間焦点距離（２５０．１８ｍｍ）、ｃが望遠端の収差図である。
【図２４】本発明の実施例６の無限遠物体における防振時の横収差図であり、ａが０．３９ｍｍ変位時の広角端、ｂが０．５４ｍｍ変位時の中間焦点距離（２５０．１８ｍｍ）、ｃが０．８８ｍｍ変位時の望遠端の収差図である。
【発明を実施するための形態】
【００２６】
本発明の防振機能を備えた変倍結像光学系は、図１、図５、図９、図１３、図１７、および図２１に示すレンズ構成図に示すとおり、物体側から順に正の屈折力の第１レンズ群Ｇ１と、負の屈折力の第２レンズ群Ｇ２と、第２レンズ群Ｇ１に後続する少なくとも二つのレンズ群から構成されて変倍の全域で全体として正の屈折力の後方レンズ群Ｇｒより構成される。
【００２７】
各レンズ群は空気間隔を以って隔てられ、変倍時に各レンズ群の間隔が変化する。第１レンズ群Ｇ１は物体側から順に空気間隔を以って隔てられた第１負レンズ、第１正レンズ、第２正レンズから構成される。第２レンズ群Ｇ２は物体側から順に負の屈折力の２ａ群Ｇ２ａと負の屈折力の２ｂ群Ｇ２ｂより構成され、２ｂ群を光軸と直交する方向に変位させることによって防振を行う。
【００２８】
本発明では、望遠端の焦点距離を長くしながら全長を抑制するために、物体側より順に正の屈折力の第１レンズ群Ｇ１と負の屈折力の第２レンズ群Ｇ２を配置して望遠型の屈折力配置を構成している。広角端から望遠端への変倍は、主として第１レンズ群Ｇ１と第２レンズ群Ｇ２の間隔を増加させることによって行う。
【００２９】
また、広角端から望遠端への変倍に伴って第２レンズ群Ｇ２と後方レンズ群Ｇｒの間隔は減少し、第２レンズ群Ｇ２と後方レンズ群Ｇｒの合成系の屈折力は負の方向へ変化する。この作用によって第１レンズ群Ｇ１と、第２レンズ群Ｇ２および後方レンズ群Ｇｒの合成系の形成する望遠型屈折力配置が広角端から望遠端に向かって強くなることになる。広角端では全系の合成焦点距離に対して光学系全長が相対的に長く、望遠端では全系の合成焦点距離に対して光学系全長が相対的に短くなり、第１レンズ群Ｇ１の移動量の抑制が行える。
【００３０】
第１レンズ群Ｇ１は第１負レンズ、第１正レンズ、第２正レンズの３枚より構成し、３枚のレンズは空気間隔を以って隔てられ、接合されない。前述の通り長焦点の光学系の最も物体側のレンズの径は非常に大きくなり、温度変化に伴って硝材の膨張率の差による接合はがれ、割れが発生する可能性があるため、接合を用いない。しかし、隣接する正レンズと負レンズはお互いに収差を打ち消す関係にあり、その相対位置の誤差に伴う収差変動が著しい。特に最も物体側において隣接する正レンズと負レンズは球面収差の補正を担っており、偏芯誤差発生時に偏芯コマ収差が大きく発生する傾向にある。
【００３１】
第１レンズ群Ｇ１内の正レンズの枚数を更に増加させれば正レンズ１枚あたりの収差の負担を減少させることができ、製造誤差による偏芯コマ収差の変動を抑制できるが、第１レンズ群Ｇ１の重量が増加してしまう。カメラから離れた第１レンズ群Ｇ１の重量が増加すると、カメラを中心としたモーメントが大きくなるため、撮影者が手持ちで鏡筒を保持する場合に負担を強いる。そのため第１レンズ群Ｇ１の枚数の増加は避けたい。
【００３２】
第２レンズ群Ｇ２は第１レンズ群Ｇ１に比べ大幅に光線径が低くなり、防振群として用いることで防振群の軽量化に適する。更に第２レンズ群Ｇ２を物体側から順に２ａ群Ｇ２ａと２ｂ群Ｇ２ｂに分割し、物体側に配される光線径のより低い２ｂ群Ｇ２ｂのみを防振に用いることにより防振群の更なる軽量化に適する。
【００３３】
更に、２ｂ群Ｇ２ｂにおける光線径と防振係数の関係について説明する。全系の入射瞳の半径をＲ、２ｂ群Ｇ２ｂより物体側の合成系の焦点距離をｆｆ、２ｂ群Ｇ２ｂの焦点距離をｆ２ｂ、２ｂ群Ｇ２ｂの物体側焦点から２ｂ群Ｇ２ｂより物体側の合成系の焦点までの距離をｚ２ｂ、２ｂ群Ｇ２ｂの結像倍率をβ２ｂ、全系の合成焦点距離をｆ、２ｂ群Ｇ２ｂよりも像側の合成系の結像倍率をβｒとしたとき、２ｂ群Ｇ２ｂの物体側主平面における軸上マージナル光線の入射高さＲ２は以下の参考式（１）で表せる。
【００３４】
参考式（１）  Ｒ２＝（ｚ２ｂ−ｆ２ｂ）＊Ｒ／ｆｆ
＝（１／β２ｂ−１）＊ｆ２ｂ＊Ｒ／｛ｆ／（β２ｂ＊βｒ）｝
＝（１−β２ｂ）＊βｒ＊Ｒ＊ｆ２ｂ／ｆ
【００３５】
ここで、（１−β２ｂ）＊βｒの値は防振群の光軸直交方向への変位に対する像の光軸直交方向への変位の比、すなわち防振係数として知られている。したがって防振係数が小さくなるほど防振群の径が小さくなる。
【００３６】
また、２ｂ群Ｇ２ｂより物体側の合成系の焦点距離をｆｆおよび全系の焦点距離ｆを定数と仮定した場合、以下の参考式（２）の関係が成り立つ。
【００３７】
参考式（２）  β２ｂ＊βｒ＝ｆ／ｆｆ＝Ｃ（定数）
【００３８】
これを参考式（１）に代入すれば、参考式（３）が導かれる。
【００３９】
参考式（３）  Ｒ２＝（１／β２ｂ−１）＊Ｃ＊Ｒ＊ｆ２ｂ／ｆ
【００４０】
ここでβ２ｂ＜０を仮定した場合、β２ｂの絶対値が大きいと、２ｂ群Ｇ２ｂの焦点から２ｂ群Ｇ２ｂより物体側の合成系の焦点までの距離ｚ２ｂは小さくなって２ｂ群Ｇ２ｂの物体側主平面における軸上マージナル光線の高さＲ２が小さくなるが、その反面、防振係数の絶対値は小さくなって同じ像ぶれ量に対応する防振群の移動量が大きくなるという関係にある。
【００４１】
鏡筒の径を抑制するためには２ｂ群Ｇ２ｂの結像倍率が大きすぎても小さすぎても不都合を生じる。また参考式（１）および（３）から明らかな通り、全系の合成焦点距離に対する２ｂ群Ｇ２ｂの焦点距離の比が小さいほど２ｂ群Ｇ２ｂの物体側主平面における軸上マージナル光線の高さＲ２が小さくなる。
【００４２】
本発明の防振機能を備えた変倍結像光学系が満たす条件式（１）は、第１負レンズと第１正レンズの相対偏芯による性能変化の抑制に関して望ましい範囲を規定するものである。
（１）  ２．４０＜（１／Ｒｇ２１−１／ｆｇ１）＊ｆｔ＜４．２５
ただし、
ｆｇ１：第１負レンズの焦点距離
Ｒｇ２１：第１正レンズの物体側の面の曲率半径
ｆｔ：全系の望遠端かつ無限遠方結像状態における合成焦点距離
【００４３】
条件式（１）の上限を上回ると第１正レンズの物体側の面での軸上マージナル光線の入射角度がきつくなり、第１正レンズの物体側の面での球面収差の発生が大きくなって第１正レンズの偏芯に対する偏芯コマ収差変動の感度が非常に高くなる。
【００４４】
条件式（１）の下限を下回ると第１正レンズの物体側の面の曲率半径が大きくなる、または第１負レンズの屈折力が小さくなる。
【００４５】
第１正レンズの物体側の面の曲率半径が大きくなりすぎると、当該面の正屈折力の負担が減ってその分を他の面で負担することとなる。第１レンズ群Ｇ１全体の屈折力が変わらないままならば正屈折力を負担する面が減り、全系での球面収差の発生が増大して結像性能が悪化する。
【００４６】
第１負レンズの屈折力が小さくなりすぎると第１レンズ群Ｇ１の色収差補正が困難となり、やはり結像性能が悪化する。
【００４７】
防振時には、像面上で同一の位置に結像する光束の、第１レンズ群Ｇ１内を通過する位置が変動する。このため前記のような第１レンズ群Ｇ１での収差補正状況の悪化は、一般に防振時の収差変動を大きくする要因である。このため、防振機能を有する結像光学系において条件式（１）の下限を下回ると防振時の性能低下が大きくなるために特に望ましくない。
【００４８】
条件式（１）の上限を４．２に、更に上限を４．０に、または条件式（１）の下限を２．７に、更に下限を２．９にすると前記の効果をより確実に達成できる。
【００４９】
本発明の防振機能を備えた変倍結像光学系が満たす条件式（２）は２ｂ群Ｇ２ｂの結像倍率に関し、２ｂ群Ｇ２ｂの光線径の抑制と防振時の変位量について望ましい範囲を規定するものである。
（２）  −０．９５＜β２ｂ＜−０．６５
ただし、
β２ｂ：２ｂ群Ｇ２ｂの望遠端かつ無限遠方結像状態における結像倍率
【００５０】
条件式（２）の上限を上回ると防振群の必要な移動量が増加するため鏡筒の径の抑制が困難になる。近軸結像関係よりβ２ｂ＝ｆ２ｂ／ｚ２ｂであり、ｆ２ｂ＜０、β２ｂ＜０よりｚ２ｂ＞０であるので、条件式（２）の下限を下回るとｚ２ｂの値が大きくなって、２ｂ群Ｇ２ｂより物体側の合成系の焦点位置は２ｂ群Ｇ２ｂの物体側焦点に対してより像側に移動し、２ｂ群Ｇ２ｂから離れる。そのため望遠端における２ｂ群Ｇ２ｂでの軸上光線径の抑制が難しくなり、防振群の軽量化に関して不利となる。
【００５１】
条件式（２）の上限を−０．７２に、更に上限を−０．７５に、または条件式（２）の下限を−０．９３に、更に下限を−０．９１とすると前記の効果をより確実に達成できる。
【００５２】
更に本発明の防振機能を備えた変倍結像光学系は条件式（３）を満たすことが望ましい。条件式（３）は第１正レンズと第２正レンズのパワーの比に関し、特に第１正レンズの偏芯による性能変化の抑制に関して望ましい範囲を規定するものである。
（３）  ０．９５＜ｆｐ１／ｆｐ２＜１．５５
ただし、
ｆｐ１：第１正レンズの焦点距離
ｆｐ２：第２正レンズの焦点距離
【００５３】
第１負レンズと隣接する第１正レンズに比べて、第２正レンズの偏芯は大きな収差変動を発生させづらい。したがって第１正レンズに比べて第２正レンズの屈折力を大きくすることで第１正レンズの屈折力を削減し、第１正レンズの発生させる球面収差を抑制することで第１負レンズと第１正レンズの相対偏芯に伴う偏芯コマ収差の変動を抑制することが出来る。
【００５４】
条件式（３）の上限値を超えて第１正レンズの屈折力が小さくなると、第２正レンズに屈折力の負担が集中しすぎて第２正レンズでの球面収差の発生が大きくなり、系全体としての球面収差が悪化する。
【００５５】
条件式（３）の下限値を超えて第１正レンズの屈折力が大きくなると、第１正レンズの発生させる球面収差の抑制が不十分となり、第１レンズ群の偏芯に伴う偏芯コマ収差の感度が高くなりすぎる。
【００５６】
条件式（３）の上限を１．５に、更に上限を１．４５に、または条件式（３）の下限を０．９８に、更に下限を１．００に設定すると前記の効果をより確実に達成できる。
【００５７】
更に本発明の防振機能を備えた変倍結像光学系は、変倍時に第２レンズ群が像面に対して固定されていることが望ましい。第２レンズ群は防振群である２ｂ群を含み、防振群が固定されていることによって制御用の配線の配置がしやすい利点がある。また、変倍時のレンズ群の移動機構も簡素化できる。
【００５８】
更に本発明の防振機能を備えた変倍結像光学系は、後方レンズ群の最も物体側に正の屈折力の第３レンズ群を備えることが望ましい。望遠端において負の屈折力の第２レンズ群に対して正の屈折力の第３レンズ群を接近させることにより、望遠端での第２レンズ群と第３レンズ群の合成系の負の屈折力を強くでき、望遠端での光学全長の短縮のために有効である。
【００５９】
更に本発明の防振機能を備えた変倍結像光学系は、前記後方レンズ群において、最も像側に設けたレンズ群全体、または、最も像側に設けたレンズ群のうちで最も像側に位置する部分レンズ群をフォーカシングレンズ群としてフォーカシングを行い、前記フォーカシングレンズ群は全体で負の屈折力を有することが望ましい。
【００６０】
長焦点レンズにおいては近距離へのフォーカシングのためのデフォーカス量が大きくなる。オートフォーカスの駆動の速度の向上を鑑みれば、第１にフォーカシングレンズ群は軽量であること、第２にフォーカシングレンズ群の単位移動量に対する像面の移動量が大きいこと、の２点が達成されることが望ましい。
【００６１】
結像光学系の光学全長を焦点距離に比べて短縮するためには、結像光学系の最も像側に強い負の屈折力のレンズ群または部分レンズ群を設けることが有効である。光学系全長短縮のために強い負の屈折力となったレンズ群または部分レンズ群をフォーカシングレンズ群とすることでフォーカシングレンズ群の単位移動量あたりの像面の移動量を大きくできる。
【００６２】
同時に像側であるために光束が収斂されてその径が小さくなっている。この負の屈折力のレンズ群または部分レンズ群をフォーカシングレンズ群として使用とすることで前記の課題を同時に達成することができる
【００６３】
本発明の結像光学系では、以下の構成を伴うことがより効果的である。
【００６４】
後方レンズ群は物体側より順に正の屈折力の第３レンズ群、正の屈折力の第４レンズ群、負の屈折力の第５レンズ群からなることがより望ましい。
【００６５】
２ｂ群は正レンズ１枚を含む３枚以下のレンズから構成されることがより望ましい。４枚以上の枚数とした場合には防振群の重量の抑制が困難となってしまう。
【００６６】
また、２ｂ群の色収差を補正して防振時の横色収差の発生を抑えるために、２ｂ群内に少なくとも１枚の正レンズを有することが望ましい。また、２ｂ群内に２枚の負レンズを有することで２ｂ群の負の屈折力を十分に保ちながら、特に球面収差やコマ収差等の発生を抑制することが望ましい。
【００６７】
次に、本発明の結像光学系に係る実施例のレンズ構成について説明する。なお、以下の説明ではレンズ構成を物体側から像側の順番で記載する。
【実施例１】
【００６８】
図１は、本発明の実施例１の結像光学系のレンズ構成図である。
【００６９】
物体側から順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成される。第３レンズ群Ｇ３から第５レンズ群Ｇ５までの合成系が後方レンズ群Ｇｒにあたる。
【００７０】
第１レンズ群Ｇ１は、物体側に凸面を向けた負メニスカスレンズＬ１と、両凸レンズＬ２と、物体側に凸面を向けた正メニスカスレンズＬ３とから構成される。負メニスカスレンズＬ１が第１負レンズに、両凸レンズＬ２が第１正レンズに、正メニスカスレンズＬ３が第２正レンズに、それぞれ対応する。
【００７１】
第２レンズ群Ｇ２は、物体側から順に負の屈折力の２ａ群Ｇ２ａと負の屈折力の２ｂ群Ｇ２ｂより構成され、２ｂ群Ｇ２ｂのみを光軸と直行する方向に変位させることにより防振を行う。２ａ群Ｇ２ａは両凹レンズＬ４から構成される。２ｂ群Ｇ２ｂは両凹レンズＬ５と、両凹レンズＬ６と両凸レンズＬ７からなる接合レンズとから構成される。
【００７２】
第３レンズ群Ｇ３は両凸レンズＬ８と、物体側に凸面を向けた正メニスカスレンズＬ９と、両凸レンズＬ１０と両凹レンズＬ１１と両凸レンズＬ１２の３枚からなる接合レンズと、両凸レンズＬ１３と両凹レンズＬ１４からなる接合レンズと、両凹レンズＬ１５と両凸レンズＬ１６からなる接合レンズとから構成される。
【００７３】
第４レンズ群Ｇ４は、両凸レンズＬ１７と、両凸レンズＬ１８と両凹レンズＬ１９からなる接合レンズとから構成される。
【００７４】
第５レンズ群Ｇ５は、物体側に凸面を向けた負メニスカスレンズＬ２０と、両凸レンズＬ２１と両凹レンズＬ２２からなる接合レンズと、両凹レンズＬ２３と両凸レンズＬ２４からなる接合レンズとから構成される。第５レンズ群Ｇ５は、全体が無限遠方から近距離へのフォーカシングに際して像側へ移動する。
【実施例２】
【００７５】
図５は、本発明の実施例２の結像光学系のレンズ構成図である。
【００７６】
物体側から順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成される。第３レンズ群Ｇ３から第５レンズ群Ｇ５までの合成系が後方レンズ群Ｇｒにあたる。
【００７７】
第１レンズ群Ｇ１は、物体側に凸面を向けた負メニスカスレンズＬ１と、両凸レンズＬ２と、物体側に凸面を向けた正メニスカスレンズＬ３とから構成される。負メニスカスレンズＬ１が第１負レンズに、両凸レンズＬ２が第１正レンズに、正メニスカスレンズＬ３が第２正レンズに、それぞれ対応する。
【００７８】
第２レンズ群Ｇ２は、物体側から順に負の屈折力の２ａ群Ｇ２ａと負の屈折力の２ｂ群Ｇ２ｂより構成され、２ｂ群Ｇ２ｂのみを光軸と直行する方向に変位させることにより防振を行う。２ａ群Ｇ２ａは両凹レンズＬ４から構成される。２ｂ群Ｇ２ｂは両凹レンズＬ５と、両凹レンズＬ６と両凸レンズＬ７からなる接合レンズとから構成される。
【００７９】
第３レンズ群Ｇ３は両凸レンズＬ８と、物体側に凸面を向けた正メニスカスレンズＬ９と、両凸レンズＬ１０と両凹レンズＬ１１と両凸レンズＬ１２の３枚からなる接合レンズと、両凸レンズＬ１３と両凹レンズＬ１４からなる接合レンズと、両凹レンズＬ１５と両凸レンズＬ１６からなる接合レンズとから構成される。
【００８０】
第４レンズ群Ｇ４は、両凸レンズＬ１７と、両凸レンズＬ１８と両凹レンズＬ１９からなる接合レンズとから構成される。
【００８１】
第５レンズ群Ｇ５は、物体側に凸面を向けた負メニスカスレンズＬ２０と、両凸レンズＬ２１と両凹レンズＬ２２からなる接合レンズと、両凹レンズＬ２３と両凸レンズＬ２４からなる接合レンズとから構成される。第５レンズ群Ｇ５は、全体が無限遠方から近距離へのフォーカシングに際して像側へ移動する。
【実施例３】
【００８２】
図９は、本発明の実施例３の結像光学系のレンズ構成図である。
【００８３】
物体側から順に、正の屈折力の第１レンズ群Ｇ１、負の屈折力の第２レンズ群Ｇ２、正の屈折力の第３レンズ群Ｇ３、および正の屈折力の第４レンズ群Ｇ４から構成される。第３レンズ群Ｇ３から第４レンズ群Ｇ４までの合成系が後方レンズ群Ｇｒにあたる。
【００８４】
第１レンズ群Ｇ１は、物体側に凸面を向けた負メニスカスレンズＬ１と、両凸レンズＬ２と、両凸レンズＬ３とから構成される。負メニスカスレンズＬ１が第１負レンズに、両凸レンズＬ２が第１正レンズに、両凸レンズＬ３が第２正レンズに、それぞれ対応する。
【００８５】
第２レンズ群Ｇ２は、物体側から順に負の屈折力の２ａ群Ｇ２ａと負の屈折力の２ｂ群Ｇ２ｂより構成され、２ｂ群Ｇ２ｂのみを光軸と直行する方向に変位させることにより防振を行う。２ａ群Ｇ２ａは物体側に凸面を向けた正メニスカスレンズＬ４と両凹レンズＬ５とから構成される。２ｂ群Ｇ２ｂは両凹レンズＬ６と物体側に凸面を向けた正メニスカスレンズＬ７からなる接合レンズと、像側に凸面を向けた負メニスカスレンズＬ８とから構成される。
【００８６】
第３レンズ群Ｇ３は両凸レンズＬ９と、両凸レンズＬ１０と、両凸レンズＬ１１と両凹レンズＬ１２からなる接合レンズと、両凸レンズＬ１３と両凹レンズＬ１４からなる接合レンズとから構成される。
【００８７】
第４レンズ群Ｇ４は物体側から順に正の屈折力の４ａ群Ｇ４ａと負の屈折力の４ｂ群Ｇ４ｂとから構成される。４ａ群Ｇ４ａと４ｂ群Ｇ４ｂは変倍に際して一体となって移動し、無限遠方から近距離へのフォーカシングに際して４ｂ群Ｇ４ｂのみが像側へ移動する。
【００８８】
４ａ群Ｇ４ａは、両凸レンズＬ１５と、両凸レンズＬ１６と両凹レンズＬ１７からなる接合レンズとから構成される。４ｂ群Ｇ４ｂは、物体側に凸面を向けた負メニスカスレンズＧ１８と、両凹レンズＧ１９と両凸レンズＧ２０からなる接合レンズとから構成される。
【実施例４】
【００８９】
図１３は、本発明の実施例４の結像光学系のレンズ構成図である。
【００９０】
物体側から順に、正の屈折力の第１レンズ群Ｇ１、負の屈折力の第２レンズ群Ｇ２、正の屈折力の第３レンズ群Ｇ３、および正の屈折力の第４レンズ群Ｇ４から構成される。第３レンズ群Ｇ３から第４レンズ群Ｇ４までの合成系が後方レンズ群Ｇｒにあたる。
【００９１】
第１レンズ群Ｇ１は、物体側に凸面を向けた負メニスカスレンズＬ１と、両凸レンズＬ２と、両凸レンズＬ３とから構成される。負メニスカスレンズＬ１が第１負レンズに、両凸レンズＬ２が第１正レンズに、両凸レンズＬ３が第２正レンズに、それぞれ対応する。
【００９２】
第２レンズ群Ｇ２は、物体側から順に負の屈折力の２ａ群Ｇ２ａと負の屈折力の２ｂ群Ｇ２ｂより構成され、２ｂ群Ｇ２ｂのみを光軸と直行する方向に変位させることにより防振を行う。２ａ群Ｇ２ａは物体側に凸面を向けた正メニスカスレンズＬ４と両凹レンズＬ５とから構成される。２ｂ群Ｇ２ｂは両凹レンズＬ６と物体側に凸面を向けた正メニスカスレンズＬ７からなる接合レンズと、像側に凸面を向けた負メニスカスレンズＬ８とから構成される。
【００９３】
第３レンズ群Ｇ３は両凸レンズＬ９と、両凸レンズＬ１０と、両凸レンズＬ１１と両凹レンズＬ１２からなる接合レンズと、両凸レンズＬ１３と両凹レンズＬ１４からなる接合レンズとから構成される。
【００９４】
第４レンズ群Ｇ４は物体側から順に正の屈折力の４ａ群Ｇ４ａと負の屈折力の４ｂ群Ｇ４ｂとから構成される。４ａ群Ｇ４ａと４ｂ群Ｇ４ｂは変倍に際して一体となって移動し、無限遠方から近距離へのフォーカシングに際して４ｂ群Ｇ４ｂのみが像側へ移動する。
【００９５】
４ａ群Ｇ４ａは、両凸レンズＬ１５と、両凸レンズＬ１６と両凹レンズＬ１７からなる接合レンズとから構成される。４ｂ群Ｇ４ｂＧ４ｂは、物体側に凸面を向けた負メニスカスレンズＧ１８と、両凹レンズＧ１９と両凸レンズＧ２０からなる接合レンズとから構成される。
【実施例５】
【００９６】
図１７は、本発明の実施例５の結像光学系のレンズ構成図である。
【００９７】
物体側から順に、正の屈折力の第１レンズ群Ｇ１、負の屈折力の第２レンズ群Ｇ２、正の屈折力の第３レンズ群Ｇ３、および正の屈折力の第４レンズ群Ｇ４から構成される。第３レンズ群Ｇ３から第４レンズ群Ｇ４までの合成系が後方レンズ群Ｇｒにあたる。
【００９８】
第１レンズ群Ｇ１は、物体側に凸面を向けた負メニスカスレンズＬ１と、両凸レンズＬ２と、両凸レンズＬ３とから構成される。負メニスカスレンズＬ１が第１負レンズに、両凸レンズＬ２が第１正レンズに、両凸レンズＬ３が第２正レンズに、それぞれ対応する。
【００９９】
第２レンズ群Ｇ２は、物体側から順に負の屈折力の２ａ群Ｇ２ａと負の屈折力の２ｂ群Ｇ２ｂより構成され、２ｂ群Ｇ２ｂのみを光軸と直行する方向に変位させることにより防振を行う。２ａ群Ｇ２ａは物体側に凸面を向けた正メニスカスレンズＬ４と両凹レンズＬ５とから構成される。２ｂ群Ｇ２ｂは両凹レンズＬ６と物体側に凸面を向けた正メニスカスレンズＬ７からなる接合レンズと、像側に凸面を向けた負メニスカスレンズＬ８とから構成される。
【０１００】
第３レンズ群Ｇ３は両凸レンズＬ９と、両凸レンズＬ１０と、両凸レンズＬ１１と両凹レンズＬ１２からなる接合レンズと、両凸レンズＬ１３と両凹レンズＬ１４からなる接合レンズとから構成される。
【０１０１】
第４レンズ群Ｇ４は物体側から順に正の屈折力の４ａ群Ｇ４ａと負の屈折力の４ｂ群Ｇ４ｂとから構成される。４ａ群Ｇ４ａと４ｂ群Ｇ４ｂは変倍に際して一体となって移動し、無限遠方から近距離へのフォーカシングに際して４ｂ群Ｇ４ｂのみが像側へ移動する。
【０１０２】
４ａ群Ｇ４ａは、両凸レンズＬ１５と、両凸レンズＬ１６と両凹レンズＬ１７からなる接合レンズとから構成される。４ｂ群Ｇ４ｂは、物体側に凸面を向けた負メニスカスレンズＧ１８と、両凹レンズＧ１９と両凸レンズＧ２０からなる接合レンズとから構成される。
【実施例６】
【０１０３】
図２１は、本発明の実施例６の結像光学系のレンズ構成図である。
【０１０４】
物体側から順に、正の屈折力の第１レンズ群Ｇ１、負の屈折力の第２レンズ群Ｇ２、正の屈折力の第３レンズ群Ｇ３、正の屈折力の第４レンズ群Ｇ４、および負の屈折力の第５レンズ群Ｇ５から構成される。第３レンズ群Ｇ３から第５レンズ群Ｇ５までの合成系が後方レンズ群Ｇｒにあたる。
【０１０５】
第１レンズ群Ｇ１は、物体側に凸面を向けた負メニスカスレンズＬ１と、両凸レンズＬ２と、物体側に凸面を向けた平凸レンズＬ３とから構成される。負メニスカスレンズＬ１が第１負レンズに、両凸レンズＬ２が第１正レンズに、平凸レンズＬ３が第２正レンズに、それぞれ対応する。
【０１０６】
第２レンズ群は、物体側から順に負の屈折力の２ａ群Ｇ２ａと負の屈折力の２ｂ群Ｇ２ｂより構成され、２ｂ群Ｇ２ｂのみを光軸と直行する方向に変位させることにより防振を行う。２ａ群Ｇ２ａは像側に凹面を向けた平凹レンズＬ４から構成される。２ｂ群Ｇ２ｂは両凹レンズＬ５と、両凹レンズＬ６と両凸レンズＬ７からなる接合レンズとから構成される。
【０１０７】
第３レンズ群Ｇ３は両凸レンズＬ８と、物体側に凸面を向けた正メニスカスレンズＬ９と、両凸レンズＬ１０と両凹レンズＬ１１と両凸レンズＬ１２の３枚からなる接合レンズと、両凸レンズＬ１３と両凹レンズＬ１４からなる接合レンズと、両凹レンズＬ１５と両凸レンズＬ１６からなる接合レンズとから構成される。
【０１０８】
第４レンズ群Ｇ４は、両凸レンズＬ１７と、両凸レンズＬ１８と両凹レンズＬ１９からなる接合レンズとから構成される。
【０１０９】
第５レンズ群Ｇ５は、物体側に凸面を向けた負メニスカスレンズＬ２０と、両凸レンズＬ２１と両凹レンズＬ２２からなる接合レンズと、両凹レンズＬ２３と両凸レンズＬ２４からなる接合レンズとから構成される。第５レンズ群Ｇ５は、全体が無限遠方から近距離へのフォーカシングに際して像側へ移動する。
【０１１０】
以下に、前述した本発明の結像光学系の各実施例の具体的な数値データを示す。
【０１１１】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【０１１２】
面番号に付した（絞り）は、その位置に開口絞りが位置していることを示している。平面又は開口絞りに対する曲率半径には∞（無限大）を記入している。
【０１１３】
［各種データ］には、ズーム比及び各焦点距離状態における焦点距離等の値を示している。
【０１１４】
［可変間隔データ］には、各焦点距離状態における可変間隔及びＢＦの値を示している。
【０１１５】
［レンズ群データ］には、各レンズ群を構成する最も物体側の面番号及び群全体の合成焦点距離を示している。
【０１１６】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１１７】
また、これらの各実施例における条件式の対応値の一覧を示す。
【０１１８】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【０１１９】
数値実施例1
単位：mm
[面データ]
面番号      r          d         nd       vd
1       481.7525    3.0000   1.80611   40.73
2       198.6329    4.0183
3       358.8891    8.8572   1.43700   95.10
4      -355.7759    0.1500
5       130.4780   11.3725   1.43700   95.10
6      5914.4913      (d6)
7     -3492.1288    1.2000   1.48749   70.44
8       199.0207    7.9584
9      -261.4650    0.8000   1.69680   55.46
10       70.8680    3.1913
11      -70.5567    0.8000   1.69680   55.46
12       70.5567    3.1562   1.84666   23.78
13     -539.3451     (d13)
14       90.7782    3.2278   1.80610   33.27
15     -348.4940    0.1500
16       64.3291    3.3629   1.58913   61.25
17      539.6359    0.7294
18       51.6072    6.6909   1.49700   81.61
19      -89.3779    1.0000   1.80610   33.27
20      193.2822    4.0649   1.49700   81.61
21     -147.5437    1.5690
22       34.1240    4.6996   1.58144   40.89
23    -1023.3555    0.9000   1.91082   35.25
24       28.9467    3.4543
25      -57.9952    0.9000   2.00100   29.13
26      215.7552    2.3577   1.62004   36.30
27      -91.7648    2.0000
28(絞り)         ∞     (d28)
29       78.5867    3.4125   1.64769   33.84
30      -59.9898    0.1500
31       37.3123    4.3027   1.48749   70.44
32      -56.5416    0.9000   1.95375   32.32
33      315.8381     (d33)
34       75.3458    0.8000   1.84666   23.78
35       26.1306    5.3276
36      255.6785    2.5624   1.69895   30.05
37      -57.2849    0.8000   1.72916   54.67
38      298.2516    2.2898
39      -34.6488    1.8081   1.49700   81.61
40       34.6488    5.7346   1.72342   37.99
41      -66.6029      (BF)
像面           ∞
[各種データ]
ズーム比       3.78
広角      中間      望遠
焦点距離     154.59    269.96    583.65
Fナンバ        5.06      5.83      6.49
全画角2ω     15.73      9.04      4.18
像高Y        21.63     21.63     21.63
レンズ全長   329.06    372.87    419.53
[可変間隔データ]
広角       中間      望遠
d6     99.5006   143.3142  189.9726
d13     29.3765    18.6488    3.5000
d28     24.1792    18.7262   13.4529
d33     11.7143    10.2186    2.0000
BF     56.5912    74.2676  102.9083
[レンズ群データ]
群       始面     焦点距離
G1        1         292.39
G2        7         -45.68
G3        14         68.63
G4        29         46.12
G5        34        -63.18
G2a        7        -386.20
G2b        9         -53.05
【０１２０】
数値実施例2
単位：mm
[面データ]
面番号      r          d         nd       vd
1       470.0448    3.0000   1.80611   40.73
2       197.1039    2.1733
3       224.0673    9.9345   1.43700   95.10
4      -481.8622    0.1500
5       146.2879   10.2750   1.43700   95.10
6      3490.0146      (d6)
7      -771.9619    1.2000   1.48749   70.44
8       250.0604    7.8524
9      -257.4717    0.8000   1.69680   55.46
10       71.7759    3.2150
11      -70.6546    0.8000   1.69680   55.46
12       70.6546    3.1825   1.84666   23.78
13     -539.2856     (d13)
14       96.7403    3.2409   1.80610   33.27
15     -295.4003    0.1500
16       64.4066    3.4504   1.58913   61.25
17      653.8902    0.6964
18       52.0811    6.7751   1.49700   81.61
19      -88.3845    1.0000   1.80610   33.27
20      188.1399    4.1142   1.49700   81.61
21     -143.6178    1.7326
22       34.6483    4.7315   1.58144   40.89
23    -1279.6230    0.9000   1.91082   35.25
24       29.3759    3.4077
25      -59.5729    0.9000   2.00100   29.13
26      178.5135    2.4049   1.62004   36.30
27      -92.8394    2.0000
28(絞り)         ∞     (d28)
29       80.0813    3.3996   1.64769   33.84
30      -61.1308    0.1500
31       36.6430    4.3044   1.48749   70.44
32      -59.1309    0.9000   1.95375   32.32
33      266.9103     (d33)
34       65.5638    0.8000   1.84666   23.78
35       25.3459    4.7233
36      358.1214    2.4992   1.69895   30.05
37      -55.4389    0.8000   1.72916   54.67
38      339.8716    2.2270
39      -33.9872    2.0000   1.49700   81.61
40       33.9872    5.7470   1.72342   37.99
41      -66.8780      (BF)
像面           ∞
[各種データ]
ズーム比       3.77
広角      中間      望遠
焦点距離     154.81    269.95    583.76
Fナンバ        5.03      5.82      6.49
全画角2ω     15.73      9.04      4.18
像高Y        21.63     21.63     21.63
レンズ全長   327.18    370.61    417.81
[可変間隔データ]
広角       中間      望遠
d6     99.5129   142.9445  190.1424
d13     29.8554    18.8172    3.5000
d28     24.6495    19.0107   13.9148
d33     11.3249     9.9932    2.0000
BF     56.2009    74.2096  102.6160
[レンズ群データ]
群       始面     焦点距離
G1        1         295.62
G2        7         -45.90
G3        14         67.64
G4        29         46.72
G5        34        -63.03
G2a        7        -387.30
G2b        9         -53.31
【０１２１】
数値実施例3
単位：mm
[面データ]
面番号      r          d         nd       vd
1       669.3235    3.0000   1.80611   40.73
2       212.9535    2.3719
3       254.4835    9.4211   1.49700   81.61
4      -553.1367    0.1500
5       149.0820   11.3382   1.43700   95.10
6    -18619.0506      (d6)
7       116.5577    8.4891   1.51680   64.20
8      3702.0555   30.2804
9      -418.1736    1.2000   1.65844   50.85
10       93.1948    4.2586
11     -156.7544    1.0000   1.69680   55.46
12       43.0795    3.0944   1.84666   23.78
13       95.9053    3.2357
14      -69.7580    1.0000   1.72916   54.67
15     -488.0709     (d15)
16      230.4409    3.8295   1.59349   67.00
17     -117.3821    0.1500
18       74.3374    4.2031   1.59282   68.62
19     -555.7421    0.1500
20       52.7873    5.9220   1.49700   81.61
21     -207.3663    1.0000   1.88100   40.14
22      192.7502   16.6624
23       57.7314    5.2538   1.58913   61.25
24     -289.2285    2.5000   1.88100   40.14
25       38.6019    3.4883
26(絞り)         ∞     (d26)
27       50.1360    3.4936   1.60342   38.01
28      -84.6676    0.1500
29       40.2473    3.7776   1.51742   52.15
30      -76.0898    1.0000   1.95375   32.32
31       98.3899    2.0171
32       98.5144    1.0000   2.00100   29.13
33       34.3000   16.7622
34      -50.8248    1.0000   1.49700   81.61
35       45.0635    4.8877   1.69895   30.05
36      -85.7479      (BF)
像面           ∞
[各種データ]
ズーム比       3.81
広角      中間      望遠
焦点距離     153.63    270.03    584.96
Fナンバ        4.78      5.72      6.52
全画角2ω     15.79      9.01      4.17
像高Y        21.63     21.63     21.63
レンズ全長   318.17    359.70    406.77
[可変間隔データ]
広角       中間      望遠
d6     43.8964    85.4262  132.4974
d15     47.1598    30.9953    5.0000
d26     16.9147    10.0000   25.6742
BF     54.1136    77.1928   87.5134
[レンズ群データ]
群       始面     焦点距離
G1        1         305.74
G2        7         -51.23
G3        16         62.57
G4        27        221.11
G2a        7        -334.66
G2b        11        -52.39
G4a        27         56.12
G4b        32        -70.12
【０１２２】
数値実施例4
単位：mm
[面データ]
面番号      r          d         nd       vd
1       658.2373    3.0000   1.80611   40.73
2       212.2711    2.3437
3       252.0486    9.3905   1.49700   81.61
4      -572.8397    0.1500
5       149.8902   11.2659   1.43700   95.10
6    -21938.2447      (d6)
7       118.8124    8.0467   1.51680   64.20
8      9413.4438   30.1451
9      -724.6133    1.2000   1.65844   50.85
10      106.6999    4.1242
11     -191.7662    1.0000   1.69680   55.46
12       39.9337    3.0809   1.84666   23.78
13       79.0462    3.6807
14      -63.0037    1.0000   1.72916   54.67
15     -379.3249     (d15)
16      239.4881    3.8141   1.59349   67.00
17     -117.5575    0.1500
18       73.7202    4.2489   1.59282   68.62
19     -526.2145    0.1500
20       53.1861    6.2329   1.49700   81.61
21     -204.5635    1.0000   1.88100   40.14
22      193.8410   16.4575
23       57.2372    5.2872   1.58913   61.25
24     -262.7930    2.5000   1.88100   40.14
25       38.6284    3.4894
26(絞り)         ∞     (d26)
27       50.8908    3.4889   1.60342   38.01
28      -85.0728    0.1500
29       40.0284    3.7984   1.51742   52.15
30      -77.7319    1.0000   1.95375   32.32
31       99.7231    2.0000
32       96.7061    1.0000   2.00100   29.13
33       34.0727   16.5788
34      -50.6525    1.0000   1.49700   81.61
35       44.4999    4.9080   1.69895   30.05
36      -86.6217      (BF)
像面           ∞
[各種データ]
ズーム比       3.81
広角      中間      望遠
焦点距離     153.65    270.03    584.97
Fナンバ        4.77      5.71      6.52
全画角2ω     15.78      9.01      4.17
像高Y        21.63     21.63     21.63
レンズ全長   317.42    359.69    407.23
[可変間隔データ]
広角       中間      望遠
d6     43.4647    85.7339  133.2753
d15     47.0863    30.9698    5.0000
d26     17.1846    10.4502   25.4857
BF     54.0057    76.8570   87.7917
[レンズ群データ]
群       始面     焦点距離
G1        1         308.07
G2        7         -51.57
G3        16         62.49
G4        27        219.97
G2a        7        -592.57
G2b        11        -48.48
G4a        27         55.87
G4b        32        -69.67
【０１２３】
数値実施例5
単位：mm
[面データ]
面番号      r          d         nd       vd
1       500.3284    3.0000   1.80611   40.73
2       203.0852    2.7962
3       263.4106    8.9920   1.45860   90.19
4      -619.3383    0.1500
5       147.2402   11.1573   1.43700   95.10
6     -2565.8567      (d6)
7       116.5228    8.1048   1.51680   64.20
8      1948.9837   30.6295
9      -414.2798    1.2000   1.65844   50.85
10       86.9503    4.3441
11     -149.3142    1.0000   1.69680   55.46
12       44.3756    3.1247   1.84666   23.78
13      105.8729    3.0885
14      -71.5955    1.0000   1.72916   54.67
15     -548.7698     (d15)
16      227.5254    3.8200   1.59349   67.00
17     -119.6480    0.1500
18       72.8346    4.2498   1.59282   68.62
19     -565.5973    0.1500
20       52.8080    6.3326   1.49700   81.61
21     -212.7227    1.0000   1.88100   40.14
22      183.8575   16.3770
23       56.2162    5.3086   1.58913   61.25
24     -267.7317    2.5000   1.88100   40.14
25       38.1107    3.5058
26(絞り)         ∞     (d26)
27       49.6333    3.5116   1.60342   38.01
28      -84.9939    0.1500
29       39.9457    3.8150   1.51742   52.15
30      -75.5093    1.0000   1.95375   32.32
31       97.6946    2.0367
32      101.4402    1.0000   2.00100   29.13
33       34.6048   16.4633
34      -50.2934    1.0000   1.49700   81.61
35       45.7728    4.8917   1.69895   30.05
36      -83.5351      (BF)
像面           ∞
[各種データ]
ズーム比       3.81
広角      中間      望遠
焦点距離     153.61    270.03    584.96
Fナンバ        4.78      5.72      6.52
全画角2ω     15.79      9.01      4.17
像高Y        21.63     21.63     21.63
レンズ全長   318.85    359.91    406.28
[可変間隔データ]
広角       中間      望遠
d6     44.3689    85.4294  131.7960
d15     46.9680    30.8980    5.0000
d26     17.3910    10.3779   25.3074
BF     54.2750    77.3583   88.3264
[レンズ群データ]
群       始面     焦点距離
G1        1         302.65
G2        7         -50.72
G3        16         62.45
G4        27        214.44
G2a        7        -279.25
G2b        11        -54.18
G4a        27         55.79
G4b        32        -70.26
【０１２４】
数値実施例6
単位：mm
[面データ]
面番号      r          d         nd       vd
1       470.6943    3.0000   1.80611   40.73
2       197.0289    4.0352
3       305.6129    9.7960   1.43700   95.10
4      -418.0350    0.1500
5       134.5620   11.3770   1.43700   95.10
6             ∞      (d6)
7             ∞    1.2000   1.48749   70.44
8       203.4443    8.3070
9      -241.7848    0.8000   1.69680   55.46
10       69.9172    5.0046
11      -70.1700    0.8000   1.69680   55.46
12       70.1700    3.0422   1.84666   23.78
13     -596.9631     (d13)
14       87.9761    3.5038   1.80610   33.27
15     -335.1456    0.7604
16       60.1082    3.2346   1.58913   61.25
17      338.5501    0.1500
18       52.1240    6.5435   1.49700   81.61
19      -89.6446    1.0000   1.80610   33.27
20      196.9200    3.9357   1.49700   81.61
21     -143.0492    1.4245
22       34.2633    4.6758   1.58144   40.89
23    -1378.5519    0.9000   1.91082   35.25
24       28.8531    3.4881
25      -57.4563    0.9000   2.00100   29.13
26      216.0181    2.2282   1.62004   36.30
27     -106.3573    2.0000
28(絞り)         ∞     (d28)
29       72.5306    3.4923   1.64769   33.84
30      -60.9921    0.2256
31       38.7585    4.5618   1.48749   70.44
32      -51.3029    0.9000   1.95375   32.32
33      655.5770     (d33)
34       81.2303    0.8000   1.84666   23.78
35       26.7915    4.3683
36      231.1733    2.7824   1.69895   30.05
37      -58.2211    2.7008   1.72916   54.67
38      283.2378    2.3998
39      -35.0132    1.0000   1.49700   81.61
40       35.0132    5.6228   1.72342   37.99
41      -67.1722      (BF)
像面           ∞
[各種データ]
ズーム比       4.66
広角      中間      望遠
焦点距離     125.15    250.18    583.80
Fナンバ        4.86      5.84      6.50
全画角2ω     19.47      9.76      4.18
像高Y        21.63     21.63     21.63
レンズ全長   314.20    371.31    424.96
[可変間隔データ]
広角      中間      望遠
d6     79.8151  136.9189  190.5717
d13     33.4105     18.95    3.5013
d28     24.0103   18.6139   14.5576
d33     10.8965   10.7496    2.3209
BF     54.9618   74.9656  102.8995
[レンズ群データ]
群       始面     焦点距離
G1        1         292.29
G2        7         -44.57
G3        14         70.36
G4        29         44.70
G5        34        -61.99
G2a        7        -417.33
G2b        9         -51.10
【０１２５】
[条件式対応値]
条件式／実施例       1       2       3       4       5       6
(1) (1/Rg21-1/fg1)*ft   3.01    3.98    3.80    3.82    3.59    3.29
(2)       β2b         -0.776  -0.758  -0.765  -0.902  -0.701  -0.789
(3)      fp1/fp2        1.345   1.007   1.040   1.038   1.267   1.317
【符号の説明】
【０１２６】
Ｇ１    第１レンズ群
Ｇ２    第２レンズ群
Ｇ３    第３レンズ群
Ｇ４    第４レンズ群
Ｇ５    第５レンズ群
Ｇｒ    後方レンズ群
Ｇ２ａ    第２ａ群
Ｇ２ｂ    第２ｂ群
Ｇ４ａ    第４ａ群
Ｇ４ｂ    第４ｂ群
【図１】
2015203827.tif 000003
【図２ａ】
2015203827.tif 000004
【図２ｂ】
2015203827.tif 000005
【図２ｃ】
2015203827.tif 000006
【図３ａ】
2015203827.tif 000007
【図３ｂ】
2015203827.tif 000008
【図３ｃ】
2015203827.tif 000009
【図４ａ】
2015203827.tif 000010
【図４ｂ】
2015203827.tif 000011
【図４ｃ】
2015203827.tif 000012
【図５】
2015203827.tif 000013
【図６ａ】
2015203827.tif 000014
【図６ｂ】
2015203827.tif 000015
【図６ｃ】
2015203827.tif 000016
【図７ａ】
2015203827.tif 000017
【図７ｂ】
2015203827.tif 000018
【図７ｃ】
2015203827.tif 000019
【図８ａ】
2015203827.tif 000020
【図８ｂ】
2015203827.tif 000021
【図８ｃ】
2015203827.tif 000022
【図９】
2015203827.tif 000023
【図１０ａ】
2015203827.tif 000024
【図１０ｂ】
2015203827.tif 000025
【図１０ｃ】
2015203827.tif 000026
【図１１ａ】
2015203827.tif 000027
【図１１ｂ】
2015203827.tif 000028
【図１１ｃ】
2015203827.tif 000029
【図１２ａ】
2015203827.tif 000030
【図１２ｂ】
2015203827.tif 000031
【図１２ｃ】
2015203827.tif 000032
【図１３】
2015203827.tif 000033
【図１４ａ】
2015203827.tif 000034
【図１４ｂ】
2015203827.tif 000035
【図１４ｃ】
2015203827.tif 000036
【図１５ａ】
2015203827.tif 000037
【図１５ｂ】
2015203827.tif 000038
【図１５ｃ】
2015203827.tif 000039
【図１６ａ】
2015203827.tif 000040
【図１６ｂ】
2015203827.tif 000041
【図１６ｃ】
2015203827.tif 000042
【図１７】
2015203827.tif 000043
【図１８ａ】
2015203827.tif 000044
【図１８ｂ】
2015203827.tif 000045
【図１８ｃ】
2015203827.tif 000046
【図１９ａ】
2015203827.tif 000047
【図１９ｂ】
2015203827.tif 000048
【図１９ｃ】
2015203827.tif 000049
【図２０ａ】
2015203827.tif 000050
【図２０ｂ】
2015203827.tif 000051
【図２０ｃ】
2015203827.tif 000052
【図２１】
2015203827.tif 000053
【図２２ａ】
2015203827.tif 000054
【図２２ｂ】
2015203827.tif 000055
【図２２ｃ】
2015203827.tif 000056
【図２３ａ】
2015203827.tif 000057
【図２３ｂ】
2015203827.tif 000058
【図２３ｃ】
2015203827.tif 000059
【図２４ａ】
2015203827.tif 000060
【図２４ｂ】
2015203827.tif 000061
【図２４ｃ】
2015203827.tif 000062